(57)【要約】【課題】木炭ボード表面に異物が付着するのを抑え、木炭ボードの吸着能力が低下するのを防ぐようにした外装材を提供する。【解決手段】入口用ドア２に装着される平面状外装材１は有害物質を吸着する、炭化温度の異なる木炭を混合して製作される木炭ボード３と、この木炭ボード３の両面に張られる、透気性フィルムである和紙４とを備える。ホルムアルデヒド、アンモニアなどの有害物質は流動を妨げられず、和紙４を通り抜けて木炭ボード３に達し、塵、ほこりなどの異物は和紙４で捕獲される。【選択図】  図１
2004232197.tif 000002
【特許請求の範囲】
【請求項１】
有害物質を吸着する木炭ボードと、この木炭ボードの両面に張設された透気性フィルムとを備える建具用外装材。
【請求項２】
有害物質を吸着する木炭ボードと、この木炭ボードの一面に張設された透気性フィルムとを備える建築物用外装材。
【請求項３】
前記透気性フィルムが和紙からなる請求項１記載の建具用外装材。
【請求項４】
前記透気性フィルムが和紙からなる請求項２記載の建築物用外装材。
【請求項５】
前記透気性フィルムが難燃性不織布からなる請求項２記載の建築物用外装材。
【発明の詳細な説明】
【０００１】
【発明の属する技術分野】
本発明は有害物質を吸着する高機能性木炭ボードに異物が付着するのを防ぐのに好適な外装材に関する。
【０００２】
【従来の技術】
住居空間、特に、人が生活する部屋内の空気が様々な要因で人に害を及ぼすほど汚染されることはよく知られている。また、悪臭が部屋内にこもり、人に不快感を与えること、汚染と関係なく、空気中の水分の影響から部屋の壁内などに結露を生じさせることも知られている。
【０００３】
たとえば、空気を汚染する物質の典型的なものには接着剤などに含まれるホルムアルデヒド、トルエン、キシレンなどの揮発性化合物があり、悪臭の原因物質には排泄物などに含まれるアンモニア、魚などの腐敗臭であるモノメチルアミン、人の加齢臭であるノネナールなどがある。十分な換気がなされず、空気が淀んだままの部屋ではこれらの物質が人に害を及ぼし、あるいは不快感を与える。
【０００４】
住居空間にはこの有害および悪臭原因物質を除く様々な工夫がなされており、たとえば、換気装置などはこうした物質を住居空間から外部に排出するのに欠かせない手段として定着している。しかし、すべての住居空間がこの種の装置を備えられるわけではなく、日常的な使用を考えると、より簡単な手段によりこうした物質を除くことが望ましい。たとえば、手軽に利用されている手段に悪臭原因物質を除去する活性炭がある。住居空間にこれを使用するならば、活性炭の吸着作用で悪臭原因物質を除去することが可能である。しかしながら、部屋などの広さが大きくなればなるほど、限られた量の活性炭だけでは悪臭原因物質を完全には除去できない。
【０００５】
【発明が解決しようとする課題】
近年、有害および悪臭原因物質を効率よく吸着する高機能性木炭ボードが注目されている。この高機能性木炭ボードを使用した場合、木炭ボードに備わる優れた吸着能力から住居空間が広くても、こうした物質を殆ど除去できる目途が立っている。
【０００６】
この木炭ボードは平面状成形品を部屋の壁および天井ボードまたはドアなどの建具の一部に装着して使用するか、あるいは腰パネル、つい立などのインテリア用品として使用することが検討されている。壁および天井ボード、建具あるいはインテリア用品にこの木炭ボードを組み込む場合、使用中に木炭ボードの表面に空気中に含まれる、微小な異物が付着してしまうと、有害物質吸着作用が極度に低下する懸念がある。
【０００７】
たとえば、塵やほこりが木炭ボード表面に付着した場合、クリーナなどを用いてその都度塵などを除去すればよいが、建具およびインテリア用品等に装着される木炭ボードの表面積が大きくなるので、除去作業に長時間を費やすか、あるいは塵埃の除去が面倒になり、これを怠る心配がある。もしも、木炭ボード表面に多量の異物が付着した状態で使用することになれば、木炭ボード本来の吸着能力を生かしきれない可能性がある。
【０００８】
そこで、本発明の目的は木炭ボード表面に異物が付着するのを抑え、木炭ボードの吸着能力が低下するのを防ぐようにした外装材を提供することにある。
【０００９】
【課題を解決するための手段】
本発明に係る建具用外装材は有害物質を吸着する木炭ボードと、この木炭ボードの両面に張設された透気性フィルムとを備えるものである。
【００１０】
さらに、本発明に係る建築物用外装材は有害物質を吸着する木炭ボードと、この木炭ボードの一面に張設された透気性フィルムとを備える。
【００１１】
上記構成からなる外装材において、住居空間で生じるホルムアルデヒド、アンモニア、モノメチルアミンなどの気体は流動を妨げられず、透気性フィルムを通り抜ける。一方、空気中に存在する、塵、ほこりなどの微小な異物は透気性フィルムを通ることができず、そこに捕獲される。この結果、木炭ボードはその表面に異物が堆積するのを免れ、有害物質吸着能力を維持することができる。
【００１２】
この透気性フィルムは透気性に優れた和紙で構成するのが望ましい。和紙は原料のこう解程度がカナダ標準濾水度（ＣＳＦ）で６４０〜６６０ｍｌ程度のものがよく、強度がそれよりも劣ってもよいときは、ＣＳＦ７００〜７２０ｍｌ程度の和紙で構成してもよい。これにより、透気性フィルムとして不満のない働きを得ることができる。
【００１３】
この透気性フィルムは、和紙に代えて、透気性を有する難燃性不織布で構成することができる。
【００１４】
【発明の実施の形態】
（第１の実施の形態）
本発明の第１の実施の形態について図面を参照して説明する。図１（ａ）において、高機能性木炭ボード（後記）を備える、矩形の平面状外装材１は入口用ドア２に装着されている。この建具用外装材１は、図１（ｂ）に示すように、１枚の面材として形成される木炭ボード３と、木炭ボード３の各面を覆う、透気性フィルム、たとえば、和紙４とから構成される。
【００１５】
面材としての木炭ボード３は炭化温度の異なる木炭を混合して製作される。これは、たとえば、約５００°Ｃの温度で炭化した炭と、約７００°Ｃの温度で炭化した炭と、約１０００°Ｃの温度で炭化した炭とを混合した材料にパルプと天然素材の接着剤とを添加し、面材として成形加工したものである。この木炭ボード３は建具内に収まる、あるサイズを有する、角穴に装着されており、ボード厚さは約１２ｍｍである。
【００１６】
また、木炭ボード３の各面を覆う和紙４は天然素材の繊維を用いて作られる、透気性、または通気性に優れた和紙から選ばれる。これは空気中の微小な塵埃などが通り抜けるのを防ぎながら、ホルムアルデヒド、トルエン、キシレンなどの有害物質、アンモニア、モノメチルアミンなどの悪臭原因物質が透過するのを妨げないようにするためである。本発明に最も適する和紙は原料のこう解程度がＣＳＦ６４０〜６６０ｍｌ程度の和紙である。この和紙４は木炭ボード３の両面に全域にわたるように、たとえば、澱粉を主成分とする糊で張られる。
【００１７】
一方、木炭ボード３をドア２に固定するのに枠材５（図１（ａ）参照）が使用される。これは図示しない釘を打ち付けてドア２に留めている。この枠材５はボード周縁に美観を与える装飾部材を兼ねる。
【００１８】
上記構成からなる外装材１において、空気、強い刺激臭を有するホルムアルデヒド、アンモニア、モノメチルアミンなどの気体は通気性の高い和紙４を通り抜ける。一方、空気中の塵やほこりなどは和紙４の表面に付着し、そこを通り抜けられない。和紙４を通り抜け、木炭ボード３に達したホルムアルデヒド、アンモニア、モノメチルアミンなどは高機能性の木炭ボード３の表面に吸着される。すなわち、人が生活する住居空間で生じた有害あるいは悪臭原因物質は木炭ボード３の表面に達し、そこで吸着作用により除かれる。これに対して、空気中に存在する微小な異物は和紙４で捕獲される。
【００１９】
このような異物は和紙４の表面に堆積するので、建具の使用が長期にわたるとき、和紙４の通気性が低下していく。このとき、和紙４全体を木炭ボード３から剥がし、新しい和紙と交換する。すなわち、通気性が大きく落ち込む前に、和紙４の交換を実施する。こうして、木炭ボード３に備わる優れた有害物質吸着能力を維持することができる。
【００２０】
ちなみに、この和紙４の交換は和紙自身が水に溶解するので、木炭ボード３から比較的簡単に剥がすことができる。
【００２１】
本実施の形態の外装材１は入口用ドア２に限られず、次のような建具にも装着することができる。図２に示すような雪見障子６に装着して使用してもよく、図３に示す腰パネル７、図示は省略するが、他のインテリア用品にも使用することが可能である。
【００２２】
また、このような建具用外装材は図示の形態に限られず、円形、長円形、菱形など、様々な形態により構成することができる。
【００２３】
本実施の形態においては木炭ボード３の両面に和紙４を張るようにしたので、空気、有害物質は流動を妨げられることなく、木炭ボード３に到達し、一方、微小な異物が和紙４で捕えられる。したがって、木炭ボード３が有する卓越した有害物質吸着能力を維持することができる。
【００２４】
（第２の実施の形態）
本発明の第２の実施の形態について図４を参照して説明する。図４（ａ）において、高機能性木炭ボードを備える、矩形の平面状外装材８は建築物の壁の一部をなすボード９に装着されている。図４（ｂ）に示すように、この建築物用外装材８は１枚の面材として形成される木炭ボード３と、木炭ボード３の一面のみを覆う和紙４とから構成されている。木炭ボード３は上記実施の形態のものと同じ高機能性木炭ボードからなる。上記実施の形態と同様に、木炭ボード３には原料のこう解程度がＣＳＦ６４０〜６６０ｍｌ程度の和紙４が張られる。この和紙４は木炭ボード３の一面全域にわたって張られる。
【００２５】
上記構成からなる外装材８においては先に述べた実施の形態と同様な働きを得ることができる。すなわち、住居空間で生じた有害あるいは悪臭原因物質は流動を妨げられず、木炭ボード３の表面に達する。そして、木炭ボード３おいて吸着作用により除去することができる。一方、空気中に存在する微小な異物については和紙４で捕獲することが可能である。使用中、異物の堆積により和紙４の通気性が低下したならば、和紙４全体を木炭ボード３から剥がし、新しい和紙と交換する。こうして、木炭ボード３に備わる優れた有害物質吸着能力を維持することができる。
【００２６】
この外装材８に張る透気性フィルムは和紙４に代えて、難燃性不職布で構成することができる。一般に、和紙４は火炎によって燃焼し易いので、特に、日常的に火を扱う住居空間に用いる外装材のために張るフィルムは難燃性であることが望ましい。このため、フィルムには天然または合成の短繊維を相互に結合して得る、不織布から選ばれた難燃性不織布を使用する。
【００２７】
この建築物用外装材８は壁に限られず、図５に示す建物天井部に張られた天井ボード１０に穿つ、たとえば、角穴（図示せず）に装着してもよく、他の建築物に用いられるボードに装着してもよい。
【００２８】
本実施の形態においては木炭ボード３の一面に和紙４または不織布を張るようにしたので、空気、有害物質は流動を妨げられることなく木炭ボード３に到達し、微小な異物が和紙４で捕えられる。したがって、木炭ボード３が有する卓越した有害物質吸着能力を維持することができる。
【００２９】
【発明の効果】
本発明によれば、木炭ボードの両面または一面に透気性フィルムを張るようにしたので、空気、有害物質は流動を妨げられることなく、木炭ボードに到達し、微小な異物がフィルムで捕えられる。したがって、木炭ボードが有する卓越した有害物質吸着能力を維持することができる。
【図面の簡単な説明】
【図１】本発明による建具用外装材を示すもので、（ａ）は外装材を装着したドアの立面図、（ｂ）は外装材の断面図である。
【図２】本発明に係る外装材を装着した雪見障子を示す立面図である。
【図３】本発明に係る外装材を装着した腰パネルを示す立面図である。
【図４】本発明による建築物用外装材を示すもので、（ａ）は外装材を装着したボードの斜視図、（ｂ）は外装材の断面図である。
【図５】本発明に係る外装材を装着した天井ボードを示す斜視図である。
【符号の説明】
１、８…  外装材
３…  木炭ボード
４…  和紙
６…  雪見障子
７…  腰パネル
【図１】
2004232197.tif 000003
【図２】
2004232197.tif 000004
【図３】
2004232197.tif 000005
【図４】
2004232197.tif 000006
【図５】
2004232197.tif 000007